(57)【要約】      （修正有）【課題】収納ユニットの美観を損ねないシンプルな連結構造を有して収納ユニット同士を簡単に連結することができ、市販の収納ユニットをそのまま組み込むことができる適用性の広いユニット家具の連結構造の提供。【解決手段】正面が開放された箱形状を有し、箱形状の両側に対向する側板６２，６３の内面に棚受用のダボを差し込むダボ穴６８が備えられた収納ユニット２０，３０，４０を横並びさせ、その横並びされた収納ユニットの隣接する側板同士を連結するユニット家具１０の連結構造であって、側板同士が隣接して重なる重合部６９を収納ユニットの正面開放側から挟むコ形状を有し、コ形状の両側に突出する側片の開放端側が互いに内向きに狭まろうとする方向に付勢される弾力を有し、かつ側片の内面に形成され、弾力により側板のダボ穴に嵌まって固定される嵌合突部とを有するホルダー５０で構成した。【選択図】図１
2013188315.tif 000002
【特許請求の範囲】
【請求項１】
正面が開放された箱形状を有し、該箱形状の両側に対向する側板の内面に棚受用のダボを差し込むダボ穴が備えられた収納ユニットを横並びさせ、その横並びされた収納ユニットの隣接する側板同士を連結するユニット家具の連結構造であって、
前記側板同士が隣接して重なる重合部を前記収納ユニットの正面開放側から挟むコ形状を有し、
該コ形状の両側に突出する側片の開放端側が互いに内向きに狭まろうとする方向に付勢される弾力を有し、
かつ前記側片の内面に形成され、前記弾力により前記側板のダボ穴に嵌まって固定される嵌合突部とを有する
ホルダーで構成したユニット家具の連結構造。
【請求項２】
前記側片に、
前記ダボ穴と対向する位置に貫通して形成され、前記ダボ穴に挿通される内端側が嵌合用のダボ部となり、外端側が棚受用のダボ部となる一本の共通利用可能なダボを該側片に貫通させて差し込む貫通孔を備えた
請求項１に記載のユニット家具の連結構造。
【請求項３】
前記ホルダーに、
前記側片の弾力に抗して該側片の開放端側を外向きに広げる付勢解除具を備えて構成した
請求項１および２に記載のユニット家具の連結構造。
【請求項４】
前記付勢解除具には、
前記側片を付勢解除方向に操作させる操作アームを小スペースに格納する格納機構を備えて構成した
請求項３に記載のユニット家具の連結構造。
【発明の詳細な説明】
【技術分野】
【０００１】
本発明は、並列に配置される複数の収納ユニットを連結して構成されるユニット家具の連結構造に関する。
【背景技術】
【０００２】
従来、リビングルームやダイニングルーム等の室内に設置されるユニット家具は、収納ユニットを組み合わせて様々な収納空間を演出するよう構築されている。このようなユニット家具は、収納ユニットの側板同士を連結部材で連結して組み立てている。一例として、収納ユニットの側板同士をボルトとナットで締め付ける連結構造が知られている。さらに、対向する側板同士の間にクッション部材を介在させて遮音性等を高めるなどの改善を図った連結構造が提案されている(例えば特許文献１参照)。
【０００３】
しかし、このような連結構造では側板を製作する際に、ボルトを挿通させるボルト孔の加工と、そのボルト孔の一端部でボルト頭を側板内に沈み込ませ、他端部でナットを側板内に沈み込ませる座ぐり加工とを要して側板の製作工数が増えていた。また、組み込まれた収納ユニットを配置替えする際は、複数のボルトとナットによる着脱作業を要して手間が掛かっていた。さらに、収納ユニットの左右が入れ替わった場合には側板の連結面側がユニット家具の外側になることがあり、この場合はボルト孔が露出して見栄えが悪くなってしまう。また、ボルト孔からほこり等が侵入しやすくボルト孔および収納ユニットの内部が汚れやすくなる。
【０００４】
このほかの連結構造として、天板、左側板、右側板、底板との上下左右の４枚の板で囲まれる四角形枠体を収納ユニットの背面側に設け、この四角形枠体の内周囲に嵌合溝を形成しておき、隣接する一方の収納ユニットの嵌合溝と他方の収納ユニットの嵌合溝との双方の溝に、Ｃ型の連結金具の開放端部を嵌合させて、双方の収納ユニットを連結するものが提案されている(例えば特許文献２参照)。
【先行技術文献】
【特許文献】
【０００５】
【特許文献１】特開昭５９−１６８８１３号公報
【特許文献２】実開昭６１−１２３７５２号公報
【発明の概要】
【発明が解決しようとする課題】
【０００６】
しかしながら、このような収納ユニットの嵌合溝とＣ型の連結金具とを組み合わせて連結する連結構造では、収納ユニットの背面側で連結することになる。このため、作業者が収納ユニットの背面側に回ったり、収納ユニットを移動させたりして連結しなければならず、作業性が悪くなっていた。さらに、収納ユニットの背面側では四角形枠体の内周囲に嵌合溝を必要とし、収納ユニットは製作工数が増えてコスト高となっていた。このため、新たに収納ユニットを増設するような場合は同様な構成の収納ユニットを必要とし、流通利用されている市販の収納ユニットを適用できない問題を有していた。
【０００７】
そこで、本発明の主たる課題は、シンプルな連結構造を有して収納ユニット同士を簡単に連結することができ、しかも市販の収納ユニットをそのまま組み込むことができる適用性の広いユニット家具の連結構造を提供することである。
【課題を解決するための手段】
【０００８】
請求項１に記載した発明は、「正面が開放された箱形状を有し、該箱形状の両側に対向する側板６２，６３の内面に棚受用のダボを差し込むダボ穴６８が備えられた収納ユニット２０，３０，４０を横並びさせ、その横並びされた収納ユニット２０，３０，４０の隣接する側板６２，６３同士を連結するユニット家具１０の連結構造であって、
前記側板６２，６３同士が隣接して重なる重合部６９を前記収納ユニット２０，３０，４０の正面開放側から挟むコ形状を有し、
該コ形状の両側に突出する側片５２の開放端側が互いに内向きに狭まろうとする方向に付勢される弾力を有し、
かつ前記側片５２の内面に形成され、前記弾力により前記側板６２，６３のダボ穴６８に嵌まって固定される嵌合突部５３とを有する
ホルダー５０で構成した」ことを特徴とするユニット家具１０の連結構造である。
【０００９】
この発明では、収納ユニット２０，３０，４０の側板６２，６３にダボ取付用として設けられているダボ穴６８がそのまま連結構造の構成要素となり、このダボ穴６８にホルダー５０の嵌合突部５３を嵌合させるだけで隣接する収納ユニット２０，３０，４０を連結することができる。
【００１０】
また、ダボ穴６８は側板６２，６３の内面上下方向に定ピッチで規則的に形成されている。このため、予め定まっているダボ穴６８の位置に対応させてホルダー５０および嵌合突部５３を正確に位置決めして形成しておくことができる。
【００１１】
さらに、コ形内面の両側より内向きに突出する嵌合突部５３が内向きに付勢されているため収納ユニット２０，３０，４０のダボ穴６８に対応した時点で凹凸対応して嵌合する。
【００１２】
請求項２に記載した発明は、請求項１に記載のユニット家具１０の連結構造において、 「前記側片５２に、
前記ダボ穴６８と対向する位置に貫通して形成され、前記ダボ穴６８に挿通される内端側が嵌合用のダボ部となり、外端側が棚受用のダボ部となる一本の共通利用可能なダボを該側片５２に貫通させて差し込む貫通孔７０を備えた」ことを特徴とする。
【００１３】
この発明では、ホルダー５０の貫通孔７０にダボ７１を挿通させたダボ７１の内端側では、側板６２，６３のダボ穴６８に嵌合させてホルダー５０を側板６２，６３に固定させることができる。一方、ダボ７１の外端側では、棚受用のダボ７１として棚受け長さ分が突出することになる。
【００１４】
請求項３に記載した発明は、請求項１および２に記載のユニット家具１０の連結構造において、「前記ホルダー５０に、
前記側片５２の弾力に抗して該側片５２の開放端側を外向きに広げる付勢解除具８０を備えて構成した」ことを特徴とする。
【００１５】
この発明では、付勢解除具８０を用いればホルダー５０の両側片５２を容易に開操作させることができる。つまり、操作者はホルダー５０の側片５２を手でこじ開けることなく開操作してホルダー５０を側板６２，６３から直ちに外すことができる。また、付勢解除具８０は開操作時にホルダー５０の嵌合突部５３が反挟持方向に変位して側板６２，６３のダボ穴６８から外れる構成であればよい。
【００１６】
請求項４に記載した発明は、請求項３に記載のユニット家具１０の連結構造において、「前記付勢解除具８０には、
前記側片５２を付勢解除方向に操作させる操作アーム８２を小スペースに格納する格納機構９０を備えて構成した」ことを特徴とする。
【００１７】
この発明では、付勢解除具８０の不使用時には該付勢解除具８０に備えた格納機構９０により操作アーム８２を小スペースに格納しておくことができる。格納機構９０としては軸支部８１を支点に折り畳むように回動操作させる操作アーム８２、あるいはアーム自体を伸縮操作させる伸縮式操作アーム９１など各操作アーム８２，９１を小スペースに格納できる構成であればよい。
【発明の効果】
【００１８】
本発明によれば、収納ユニット２０，３０，４０の美観を損ねないシンプルな連結構造を有して収納ユニット２０，３０，４０同士を簡単に連結することができ、しかも市販の収納ユニット２０，３０，４０をそのまま組み込むことができる適用性の広いユニット家具１０の連結構造を提供することができる。
【図面の簡単な説明】
【００１９】
【図１】本発明のユニット家具の連結構造を示す斜視図である。
【図２】本発明のホルダーが開閉する方向を示す斜視図である。
【図３】本発明の他の実施例のホルダーとダボとの関係を示す斜視図である。
【図４】本発明の付勢解除具の一例を示す斜視図である。
【図５】図４の付勢解除具の操作アームを退避させた状態を示す斜視図である。
【図６】(Ａ)は本発明の他の実施例の付勢解除具に備えられる格納機構の格納前の状態を示す斜視図、(Ｂ)は同格納機構の格納後の状態を示す斜視図である。
【図７】本発明の他の実施例のホルダーを示す平面図である。
【図８】(Ａ)は本発明の他の実施例の解除凹部を備えたホルダーを示す斜視図、(Ｂ)は同ホルダーの使用状態を示す斜視図である。
【発明を実施するための形態】
【００２０】
以下、本発明を図示実施例に従って説明する。図１は本発明の連結構造を用いたユニット家具１０を示す斜視図である。  
【００２１】
このユニット家具１０は中央に配置される中央収納ユニット２０と、その左側に隣接して配置される左収納ユニット３０と、右側に隣接して配置される右収納ユニット４０と、これらの収納ユニット２０，３０，４０が横並び(並列)して配置された隣接部間をそれぞれ連結して一体化するホルダー５０とで構成される。
【００２２】
このユニット家具１０を構成する各収納ユニット２０，３０，４０は、天板６１と、左側板６２と、右側板６３と、底板６４とで上下左右の四面を囲い、かつ背面側を背面板６５で囲い、正面側を開放させた箱形状を有している。また、この箱形状の内部空間を棚板６６で上下に仕切って各収納部６７を形成している。
【００２３】
さらに、各収納ユニット２０，３０，４０は左側板６２と右側板６３の内面に、棚受用のダボ(図示せず)を差し込んで取り付けるダボ穴６８が形成されている。このダボ穴６８は貫通しない一定深さで小さな円柱状に形成されたダボより少し大径に穿設されている。その穿設位置は両側の側板６２，６３の手前側と奥側との前後位置で上下方向に一定間隔ごとに規則的に設けられている。そして、収納部６７内において同高さ位置の前後左右の合計４箇所のダボ穴６８に差し込まれたダボの外端部が棚受け支持部となり、これらのダボの外端部に棚板６６が搭載される。
【００２４】
中央収納ユニット２０は、図１の中央部に示されるように正面が開放された正面視正方形を有して起立し、その上部側空間を左右方向に３列に仕切り、その３列の各並列空間をさらに棚板６６で上下に仕切って合計６箇所の収納空間を備えて構成した上段収納部２１と、この上段収納部２１と同じ構成を有して下部側空間に備えられる下段収納部２２と、これらの上段収納部２１と下段収納部２２との中間部に備えられる中間収納部２３とで構成される。
【００２５】
左収納ユニット３０は、正面が開放された縦長の正面視長方形を有して起立し、縦長の収納空間を棚板６６で上下に仕切って上部側と下部側に比較的大きな収納部６７を形成している。
【００２６】
右収納ユニット４０は、上述した左収納ユニット３０と同一の構造を有している。このため、右収納ユニット４０は左収納ユニット３０と同一の符号で図示して、その同一の説明は省略する。そして、これらの収納ユニット２０，３０，４０の側板６２，６３同士を平面対接させて重なった重合部６９を、後述するホルダー５０で挟持して連結する連結構造としている。
【００２７】
上述のホルダー５０は、収納ユニット２０，３０，４０の正面開放側から側板６２，６３の重合部６９を挟むコ形状を有している。このコ形状の正面片５１と両側の側片５２との３辺のうち、閉鎖端面となる正面片５１は重合部６９の幅より若干大きい幅寸法を有して重合部６９を正面側から覆うようにしている。この正面片５１の両側には左右対称に同形状の側片５２を突出させており、両側片５２は正面片５１の両端部を基点に両側の開放端側が互いに近づく方向に弾力を生じさせるように内向きに屈曲形成している。この内向きに屈曲形成することにより、両側の側片５２を内向き状態からコ形状の平行状態に広げようとすると、開放端側が内向きに狭まろうとする方向へ付勢する付勢力が生じる。これにより、ホルダー５０は両側片５２が略平行状態に広げられて両側板６２，６３の重合部６９を挟持した際に、内向きに挟持しようとする弾力が生じる構成を有している。図２ではホルダー５０が使用待機状態にあって両側片５２の開放端側が内向きに屈曲して近づいた状態にある。
【００２８】
さらに、両側片５２の内面には、ダボ穴６８に挿脱自在に嵌まる嵌合突部５３を突出形成している。この嵌合突部５３は、ダボ穴６８に凹凸嵌合し易い先細のテーパ状に突出形成されている。嵌合突部５３の突出個数は少なくとも両側片５２の互いの内面で嵌合突部５３同士を対向させる挟持構成であるため少なくとも左右一対の一組を必要としている。
【００２９】
したがって、嵌合突部５３は一組以上あればよく、この実施例では図２に示すように、両側片５２の内面上下位置に嵌合突部５３をそれぞれ対向させた二組を有している。この場合は、嵌合突部５３が両側片５２の上下に２個ずつあるためホルダー５０は上下左右の合計４箇所のダボ穴６８で固定される。このように、嵌合突部５３が２個以上あればホルダー５０がダボ穴６８に２箇所以上で固定されるためガタツキが減り、より強固な固定ができる。なお、これらの嵌合突部５３の上下間隔は位置決め基準穴として規則的に備えられているダボ穴６８の上下間隔に対応させて形成される。
【００３０】
また、正面片５１とその両側の側片５２との接続部分である屈曲部５４は、側片５２が内向きに弾性変位する基点であり、側片５２の弾性変位動作を容易にする目的で側面リブ５５を備えている。この側面リブ５５は屈曲部５４を補強できるリブ形状であればよく、また屈曲部５４に加わる集中力を分散させるリブ形状であればよい。例えば、屈曲部５４を外方から内方に向けて部分的に変形させて構成し、このような側面リブ５５を屈曲部５４の上下位置に２箇所形成して、屈曲部５４の反りやねじれなどの変形を防ぎつつ強度を高めて側片５２が安定して弾性変位することを確保している。
【００３１】
このホルダー５０の製作に際しては、コ形状で弾性挟持作用が得られるものであればよく、金属材あるいは樹脂材を用いて製作することができる。例えば、ホルダー５０に必要な大きさの長方形状の金属板を裁断機で打ち抜き、この金属板をプレス機でコ形状と、嵌合突部５３と、側面リブ５５とをそれぞれ成型することでコ形状弾性を備えた所望のホルダー５０が得られる。なお、嵌合突部５３はプレス加工により一体成型してもよく、独立して形成した嵌合突部５３を側片５２に部分的にビス止めして取り付けてもよい。
【００３２】
次に、このように構成されたホルダー５０を連結部品に用いてユニット家具１０を構築する際の組立動作を説明する。  
【００３３】
まず、中央収納ユニット２０と左収納ユニット３０を連結する際は、これらのユニット２０，３０を横並びさせた後、その隣接する側板６２，６３の重合部６９に対し、ホルダー５０の開放端側を広げて重合部６９の正面開放側よりコ形状に覆うように挟持させる。
このとき、両側片５２は内向きの付勢力が生じ、両側片５２が両側板６２，６３に強く接した挟持状態となる。
【００３４】
その挟持状態でホルダー５０を押し込むと正面片５１が重合部６９の前端面に当接もしくは近づく過程で略同時に凸状の各嵌合突部５３が対応する凹状の各ダボ穴６８に嵌まり込む。このとき、凹凸嵌合すると同時に両側片５２は付勢力が働いて側板６２，６３に平面対接し、両側片５２が側板６２，６３に密着して安定した挟持状態が得られる。
【００３５】
また、ホルダー５０を押し込んだときに上下位置がずれて嵌合しない場合は、ホルダー５０を上下にずらすだけで直ちに凹凸対応して嵌合できる。このようにして、ホルダー５０を順に取り付ければよく、図１ではホルダー５０を上下方向に４個均等配置した例を示す。これにより、中央収納ユニット２０と左収納ユニット３０はホルダー５０によって強固に固定される。
【００３６】
さらに、中央収納ユニット２０と右収納ユニット４０を連結する際も、上述の中央収納ユニット２０と左収納ユニット３０と連結した構造が左右対称で同じであるため、ホルダー５０の連結動作は同じである。したがって、中央収納ユニット２０と右収納ユニット４０の連結に際しても同様な連結動作で同様に強固に連結することができる。
【００３７】
上述のように、ホルダー５０の構造はコ形状のシンプルな形であり、このコ形のホルダー５０を側板６２，６３の外形状に沿って密着した状態に取り付けるためホルダー５０を取り付けた後は、重合部６９の部分はホルダー５０の厚み分しかスペースを占有せず、このホルダー５０を取り付ける占有スペースが極めて少なくて済む。また、ホルダー５０を取り付けた後は、その周辺に収納物を置いたり、レール類を設置したりする際に妨げにならない。さらに、ホルダー５０を広げて押し込むという略ワンタッチで取り付けることが可能になる。
【００３８】
特に、各収納ユニット２０，３０，４０のダボ穴６８の位置は位置決め基準穴として共通化を図って決まっていることが多く、広く一般に利用されている市販の収納ユニットなどをそのままの状態で使用することができる。このため、シンプルなコ形状のホルダー５０を作るだけで済み、連結部品点数の削減、製作工数および組立工数の削減、さらに低コスト化を実現できる。
【００３９】
また、ユニット家具１０を構築している収納ユニット２０，３０，４０を左右に配置替え、あるいは増設するような場合であっても、これらの収納ユニット２０，３０，４０には共通利用可能なダボ穴６８が加工されているため、各種の収納ユニット２０，３０，４０にそのままホルダー５０を適用することができる。また、既存の収納ユニット２０，３０，４０、あるいは市販の収納ユニットをそのまま適用できるため、ボルト孔や嵌合溝などの側板６２，６３に対する加工を省略することができるため側板６２，６３の美観を損なうこともない。
【００４０】
図３はこの発明の他の実施例のホルダー５０を示し、このホルダー５０は両側の側片５２にダボ７１を取り付ける貫通孔７０を備えて構成したものである。  
【００４１】
この貫通孔７０は側板６２，６３のダボ穴６８と対向する位置を貫通して設けている。この貫通孔７０に貫通されるダボ７１は、貫通したダボ７１の内端側が嵌合用のダボ部となり、貫通孔７０を介してダボ穴６８に嵌合固定される。一方、貫通したダボ７１の外端側が棚受用のダボ部となって側片５２の外方に突出することになる。これにより、一本のダボ７１が嵌合固定用と棚受用とに共通利用される。つまり、ダボ７１の内端側は嵌合突部５３の代わりとなり、外端側は棚受用のダボ部となる。
【００４２】
このように構成されたホルダー５０を重合部６９に取り付けた場合は、ダボ７１の内端部が貫通孔７０を介してダボ穴６８に嵌合固定される。この嵌合固定作用によりホルダー５０が重合部６９を強固に連結して固定することができる。したがって、この場合も上述の実施例と同様な作用効果が得られる。さらに、この場合はホルダー５０を取り付けた位置であっても、このホルダー５０の位置に棚受用のダボ７１を突出させて棚受用として介在させることができる。このため、ホルダー５０の取付にかかわらず棚板６６を設置することが可能になる。また、このホルダー５０は嵌合突部５３を要しないため、より一層シンプルな形状であり、製作および取り付けが容易となる。
【００４３】
図４および図５はこの発明の他の実施例のホルダー５０を示し、このホルダー５０は側片５２の開放端側を外向きに広げるクリップ状の付勢解除具８０を備えて構成したものである。この付勢解除具８０はコ形状の両側に備えられる両側片５２の開放端部にそれぞれ備えた軸支部８１に回動自由に軸支される長いコ形状の操作アーム８２を左右一対に備えて構成したものである。
【００４４】
この操作アーム８２はコ形状の開放端側となる基端部が軸支部８１に軸支され、これより自由端側が側片５２に沿って外方に延出され、その延出された自由端部が把持部８４となって正面片５１より外方に突出されている。そして、ホルダー５０の左右両側に突出する操作アーム８２の両把持部８４を力点として操作者が掴んで中央寄りに引き寄せるように加圧することにより、両操作アーム８２は各屈曲部５４が支点となり、側片５２の付勢力に抗して操作アーム８２の作用点となる側片５２の開放端側が広がり、嵌合突起５３がダボ穴６８より外れる。その開状態でホルダー５０を手前側に引き寄せれば、図４に示すように、ホルダー５０は重合部６９から外れ、付勢解除具８０は使用待機状態(不使用状態)となる。
【００４５】
これに対し、図５はホルダー５０の使用状態であり、かつ付勢解除具８０の不使用状態を示している。この付勢解除具８０の不使用状態では操作アーム８２が邪魔にならないように軸支部８１を支点に操作アーム８２を内方に略１８０度反転させて操作アーム８２が側板６２，６３の外表面に沿うように配置させて周辺のスペースを占有しないように配慮している。このため、付勢解除具８０の周辺に収納物を置いたり、レール類を設置したりする際に妨げにならない。
【００４６】
図６はこの発明の他の実施例の付勢解除具８０を示し、この付勢解除具８０は伸縮式操作アーム９１を小スペースに短縮させて格納する格納機構９０を備えて構成したものである。
【００４７】
この格納機構９０は上述した操作アーム８２と同支持機構を有し、異なる点は伸縮式操作アーム９１に構成した点である。よって、この異なる伸縮式操作アーム９１の部分についてのみ説明する。この伸縮式操作アーム９１はコ形状に長く伸びているアームの長手方向を基端側と自由端側とに略同長さに分け、基端側は一端が軸支部８１に軸支されて回動自由な中実の基端アーム軸９２で構成し、自由端側は上述の基端アーム軸９２をスライド自由に内挿し得る中空で基端アーム軸９２の両側に渡って外挿するＵ形の外端アーム軸９３で構成している。
【００４８】
そして、基端アーム軸９２に外端アーム軸９３を外挿して、基端アーム軸９２に対して外端アーム軸９３上をスライドさせて伸縮自在に設け、両アーム軸９２，９３の内外で重なる互いの接続端部のうち、基端アーム軸９２側には図示しないバネで付勢されて外向きに付勢突出された係合突起９４を突出させている。この係合突起９４と対応する外端アーム軸９３側には係合孔９５を開口している。
【００４９】
このため、付勢解除具８０の開操作時は図６(Ａ)に示すように、外端アーム軸９３が引き伸ばされて側片５２を開操作可能な伸長状態にある。これに対し、格納機構９０により付勢解除具８０を待機状態に短縮させて格納するには、外方に突出していた係合突起９４を押し込んで係合孔９５で係合していた該係合突起９４の係合を解除させる。この解除状態で外端アーム軸９３を短縮させる方向にスライドさせれば図６(Ｂ)に示すように、略半分の長さに短縮してコンパクトになる。
【００５０】
このように、格納機構９０を備えることにより、伸縮式操作アーム９１の開操作が終わった場合は、伸縮式操作アーム９１が縮んでコンパクトになる。つまり、ホルダー５０の取り付けが完了した後では伸縮式操作アーム９１が付勢解除具８０の周辺領域に突出しない構成となる。このため、伸縮式操作アーム９１が邪魔にならず、付勢解除具８０の周辺に収納物を置いたり、レール類を設置したりする際に妨げにならない。
【００５１】
このほか、図示しないが他の格納機構として、操作アーム８２を軸支部８１から取り外せるように、コ形状の操作アーム８２の両端部を互いに内向きのＬ形状に設け、これらの屈曲されたＬ形先端側の部分を使用時に軸支部８１の両側から挟み込むように差し込んで取り付け、不使用時に引き出して取り外しておくように構成することもできる。
【００５２】
図７はこの発明の他の実施例のホルダー５０を示し、このホルダー５０の屈曲部５４に円形に屈曲させた屈曲リブ５５を構成したものである。この屈曲リブ５５は正面片５１と両側片５２との接続部分である屈曲部５４を鋭角に折り曲げるのではなく、コ形状の外向きに膨らますように円形状にゆとりを持たせて屈曲し、屈曲部５４の全高さに渡って同形状に形成している。
【００５３】
この屈曲リブ５５を備えた場合は、屈曲部５４の一点で弾性支持せず、屈曲リブ５５の円形全体で弾性支持することになり、側片５２が開動作する基点での弾性支持強度を高めることができる。このため、ホルダー５０は屈曲部５４での補強性能が一層向上することに加えて側片５２の弾性変位動作を容易にして弾性支持機能が向上し、側片５２を安定して開閉動作させることができる。例えば、側片５２を開操作する時に側片５２が過剰に広げられようとした場合でも、その側片５２の過剰な外力に対応して弾性変位させることができる弾性対応能力の高いホルダー５０となる。
【００５４】
図８(Ａ)はこの発明の他の実施例のホルダー５０を示している。このホルダー５０は図２で示したホルダー５０と略同構造を有して構成され、異なる点は解除凹部８１を備えた点である。よって、この異なる解除凹部８１の部分についてのみ説明する。
【００５５】
解除凹部８１はコ形状に形成されているホルダー５０の両側片５２に挟持力解除用として部分的に形成されるものであって、コ形の両側片５２の開放端中央部を平面状態から外面側に凸状に少し膨らませて形成している。この膨らみ部はさらに、コ形の両側片５２の開放端からコ形の正面片５１側に向けて膨らませている。そして、この膨らみ部の内面では凹形状の解除凹部８１が形成されることになる。
【００５６】
この解除凹部８１を側板６２と側板６３との重合部６９に取り付けた際に、側板６２と側板６３の外面と側片５２の内面との間に取外し用の隙間を設けるものである。この解除凹部８１を備えたホルダー５０を使用する場合は、図１および図２の実施例で述べたホルダー５０の挟持動作と同じであり、重合部６９に対し、ホルダー５０の開放端側を内向きの付勢力に抗して広げ、重合部６９の正面開放側よりコ形状に覆うように挟持させる。
【００５７】
一方、ホルダー５０を重合部６９から取り外す場合は、図８(Ｂ)に示すように、側板６２，６３とホルダー５０との間に形成された解除凹部８１に例えばマイナスドライバー等の取外し工具８２を差し込んで側片５２を押し開くように取外し工具８２を傾動させると、側片５２を簡単に広げることができる。これにより、操作者は手で直にホルダー５０を開操作しなくてもホルダー５０を取り外すことができる。
【００５８】
さらに、図に示さないがホルダー５０の側片５２に、嵌合突部５３に代えてビスを付設させるビス取付孔を備えて構成したビス付きホルダーを利用することもできる。この場合は、ビス付きホルダーの利用時にビスがダボ穴６８に対向し、外部からドライバー等の工具でビスをダボ穴６８にねじ込めば、左右から締め付けるようにしてビス付きホルダーで両側板６２，６３の重合部６９をより一層強化して固定することができる。この際は、少なくとも左右一対の一組のビス止め部があればく、複数組のビス止め部を備えてビス止めを施すようにしてもよい。また、ビス止め部と嵌合突部５３とを併用したビス付きホルダーを構成してもよい。
【００５９】
上述のように、各収納ユニット２０，３０，４０に形成されているダボ穴６８は位置決め基準穴となり、共通化を図って利用される場合が多く、広く一般に利用されている市販の収納ユニット２０，３０，４０をそのままの状態で使用することができる。このため、
収納ユニット間の連結に際しては、収納ユニットに対する加工を必要とせず、シンプルなコ形状のホルダー５０を用いるだけで済み、連結部品点数の削減、製作工数の削減および低コスト化を図ることができる。また、ボルト孔や嵌合溝などの側板６２，６３に対する加工を省略できるため収納ユニット２０，３０，４０の美観を損なうこともない。
【００６０】
この発明の構成と、上述の実施例の構成との対応において、この発明の構成は請求項に記載される技術思想に基づいて応用することができ、実施例の構成のみに限定されるものではない。例えば、上述の実施例では起立した収納ユニット２０，３０，４０の側板６２，６３同士を連結する構造を示したが、左右方向の連結に限らず、収納ユニットを横積みして重ね合わせた場合は、上下方向に対する連結も可能である。
【００６１】
また、上述の実施例では３個の収納ユニット２０，３０，４０を組み合わせてユニット家具１０を構成した例を示したが、２個以上の収納ユニットを組み合わせてユニット家具を構成したものであればよい。
【符号の説明】
【００６２】
１０…ユニット家具
２０…中央収納ユニット
３０…左収納ユニット
４０…右収納ユニット
５０…ホルダー
５２…側片
５３…嵌合突部
６２，６３…側板
６８…ダボ穴
６９…重合部
７０…貫通孔
７１…ダボ
８０…付勢解除具
８２，９１…操作アーム
９０…格納機構
【図１】
2013188315.tif 000003
【図２】
2013188315.tif 000004
【図３】
2013188315.tif 000005
【図４】
2013188315.tif 000006
【図５】
2013188315.tif 000007
【図６】
2013188315.tif 000008
【図７】
2013188315.tif 000009
【図８】
2013188315.tif 000010